(57)【要約】【課題】入賞口に変化性に富んだ電飾を具有させる。【解決手段】パチンコ機盤面Ｆに突設したパチンコ玉導入部１を外装する透明体から成り、該透明体は前記導入部１下部で盤面Ｆより突設した点滅光源４を後方に埋設した水平導光部５と、該水平導光部５の前端に連続して光を上方へ導く反射部６と、該反射部６に上方連続する垂直導光部７とを一体形成し、点滅光源４から発した光を水平導光部５内で直進させ、反射部６で上方の垂直導光部７へ導き、垂直導光部７後面７ｂに、前方上向き状に傾斜した複数の斜面１１、１１ａ…を段違い平行状にして、且つ、下段より上段の斜面１１、１１ａ…の方が面積大と成したＶ溝連設群１０を形成することで、反射部６で全反射されて垂直導光部７内を直進する光を下段の斜面１１、１１ａ…に当たったものから順次に反射させ、垂直導光部７前面７ａから射出させて斜面１１、１１ａ…に対応した前面７ａを点滅発光させる。【選択図】　　　　図２
2004121810.tif 000002
【特許請求の範囲】
【請求項１】
パチンコ機盤面に突設したパチンコ玉導入部を外装する透明体から成り、該透明体は、パチンコ玉導入部下部で盤面より水平突設した点滅光源を後方に埋設した水平導光部と、該水平導光部の前端に連続して光を上方へ導く反射部と、該反射部に上方連続する垂直導光部とを一体形成すると共に、垂直導光部の後面には、前方上向き状に傾斜した複数の斜面を段違い平行状にして、且つ、下段より上段の斜面の方が面積大と成したＶ溝連設群を形成したことを特徴とするパチンコ機の入賞口の発光化粧体。
【請求項２】
反射部の前面を反射シートで被覆したことを特徴とする請求項１記載のパチンコ機の入賞口の発光化粧体。
【請求項３】
パチンコ機盤面に突設したパチンコ玉導入部前面を外装する平板状の透明体から成り、該透明体は、下端に点滅光源を埋設すると共に、後面には、前方上向き状に傾斜した複数の斜面を段違い平行状にして、且つ、下段より上段の斜面の方が面積大と成したＶ溝連設群を形成したことを特徴とするパチンコ機の入賞口の発光化粧体。
【請求項４】
パチンコ機盤面に突設したパチンコ玉導入部を外装する透明体から成り、該透明体は、パチンコ玉導入部下部で盤面より前方上向き状に突設した点滅光源を、後方に埋設すると共に、点滅光源と同一勾配に傾斜した前傾導光部と、該前傾導光部の前端に連続して光を上方へ導く反射部と、該反射部に上方連続する垂直導光部とを一体形成すると共に、垂直導光部の後面には、前方上向き状に傾斜した複数の斜面を段違い平行状にして、且つ、下段より上段の斜面の方が面積大と成したＶ溝連設群を形成したことを特徴とするパチンコ機の入賞口の発光化粧体。
【請求項５】
前傾導光部の後面には、点滅光源を投影して前面へ反射させる投影反射部を設けたことを特徴とする請求項４記載のパチンコ機の入賞口の発光化粧体。
【請求項６】
パチンコ機盤面に突設したパチンコ玉導入部を外装する透明体から成り、該透明体は、パチンコ玉導入部下部で盤面より水平突設した点滅光源を後方に埋設した水平導光部と、該水平導光部の前端に連続して光を上方へ導く反射部と、該反射部に上方連続する垂直導光部とを一体形成すると共に、垂直導光部の後面には、前方上向き状に傾斜した同一面積の複数の斜面を段違い平行状と成したＶ溝連設群を形成したことを特徴とするパチンコ機の入賞口の発光化粧体。
【請求項７】
前面をプリズムシートで被覆したことを特徴とする請求項１、３、４、５、又は６記載のパチンコ機の入賞口の発光化粧体。
【請求項８】
請求項１、２、４、５、６又は７記載の垂直導光部、或いは請求項３又は７記載の透明体の後面に剛性を有する反射板を設けたことを特徴とするパチンコ機の入賞口の発光化粧体。
【請求項９】
発光色が異なる複数の点滅光源を並設したことを特徴とする請求項１、２、３、４、５、６、７又は８記載のパチンコ機の入賞口の発光化粧体。
【発明の詳細な説明】
【０００１】
【発明の属する技術分野】
本発明は、パチンコ機の入賞口の発光化粧体に関する。
【０００２】
【従来の技術】
従来、この種の発光化粧体は、内部が空洞で配色の異なる複数のプラスチック製の異形装飾体を入賞口に組み付け、パチンコ機の盤面側に設けた点滅する光源からの光が前記空洞部内を照らすことにより、異形装飾体をその着色された色で点滅させるものにして、光源は入賞口にパチンコ玉が入った時に発光する様に成している（例えば、特許文献１参照）。
【０００３】
【特許文献１】
実開平７−４５２号公報（図２、３）
【０００４】
【発明が解決しようとする課題】
しかしながら、上記発光化粧体は、着色された異形装飾体が、その色で単純に点滅するだけのため、変化性に乏しく、面白みに欠けていた。
【０００５】
【課題を解決するための手段】
本発明は、上記課題に鑑み、パチンコ機盤面に突設したパチンコ玉導入部を外装する透明体から成り、該透明体は、パチンコ玉導入部下部で盤面より水平又は前方上向きに突設した点滅光源を後方に埋設した水平導光部又は前傾導光部と、水平導光部又は前傾導光部の前端に連続して光を上方へ導く反射部と、該反射部に上方連続する垂直導光部とを一体形成することにより、又は、パチンコ機盤面に突設したパチンコ玉導入部前面を外装する平板状の透明体であって、その下端に点滅光源を埋設することにより、点滅光源から発した光を、前者のものでは水平導光部又は前傾導光部を直進させ、その前端の反射部で反射させて上方の垂直導光部へ導き、後者のものでは直接透明体内を直進させる。
そして、前者の垂直導光部若しくは前傾導光部、又は後者の透明体の後面では、前方上向き状に傾斜した複数の斜面を段違い平行状にして、且つ、下段より上段の斜面の方が面積大と成したＶ溝連設群が形成されているため、前者のものでは反射部で全反射されて垂直導光部内を直進する光、後者のものでは透明体内を直進する光が下段の斜面に当たったものから順次に反射され、前者のものでは垂直導光部の前面、後者のものでは透明体の前面から射出して斜面に対応した垂直導光部（透明体）の前面を点滅発光させる様にして、上記課題を解決する。
又、水平導光部、反射部及び垂直導光部を設けた透明体であって、垂直導光部の後面に前方上向き状に傾斜した複数の同一面積の斜面を段違い平行状と成したＶ溝連設群を形成したものでは、点滅光源に近い下方の斜面で光の多くが反射されるため、垂直導光部の下方よりも上方の斜面で反射される光の輝度や照度を弱めて垂直導光部の前面を点滅発光させる様にして、上記課題を解決する。
【０００６】
【発明の実施の形態】
以下本発明の一実施例を図面に基づいて説明する。
パチンコ機盤面Ｆにおいて、パチンコ玉をパチンコ機内に導入する投入口Ｈの開設位置に対応して、上方が開放されたＵ字板状のパチンコ玉導入部１を突設し、該パチンコ玉導入部１の前面開放部及び底部を断面略Ｊ字状の発光化粧体２で外装することにより、入賞口３を構成している。
発光化粧体２は、透明度の高いアクリル樹脂、ガラス等の透明体から成り、パチンコ玉導入部１下部で盤面Ｆより水平突設した点滅光源４を後方に埋設した水平導光部５と、該水平導光部５の前端に連続して光を上方へ導く反射部６と、該反射部６に上方連続する垂直導光部７とを一体形成している。
水平導光部５は、点滅光源４より厚肉でパチンコ玉導入部１より幅広な水平板状に形成され、その後端に点滅光源４の埋設穴を凹設すると共に、盤面Ｆに後端を当接している。
反射部６は、その前面６ａを所定曲率に設定した湾曲面状に形成して成り、点滅光源４から水平導光部５内に入射されて反射部６の前面６ａに到達する光の一部を上方へ反射させる様に成している。
尚、反射部６の前面６ａは湾曲面状に形成したものを示したが、点滅光源４から水平導光部５内を直進する光が上方の垂直導光部７へ導くことができれば良いので、反射部６の前面６ａを水平導光部５の底面に対し所定角度（好ましくは約１３５度）を有する傾斜面と成しても良い（図示せず）。
又、反射部６の前面６ａに、反射効率の良い反射シート８（図２中一点鎖線で示す。）を被覆する様に接着し、透明体（反射部６の前面６ａ）との間で良好な屈折率界面を形成し、該屈折率界面における反射率を上げる様にしても良い。
垂直導光部７は、パチンコ玉導入部１より幅広な垂直板状に形成され、その前面７ａを平滑面状に形成し、後面７ｂには複数のＶ溝９、９ａ…を横縞状に連設したＶ溝連設群１０を切込み形成している。
各Ｖ溝９、９ａ…の頂角は同一角度に設定され、各Ｖ溝９、９ａ…において、少なくとも前方上向き状に傾斜した斜面１１、１１ａ…を段違い平行状と成し、各Ｖ溝９、９ａ…の切込み深さは、下段より上段のＶ溝９、９ａ…の方を深く、即ち、下段より上段の斜面１１、１１ａ…の方が面積が大きく成る様に設定している。
尚、上下段の斜面１１、１１ａ…の面積差は均等に設定し、反射部６で全反射されて垂直導光部７内を直進する光が、各斜面１１、１１ａ…で均等に散乱反射される様に設定している。
又、垂直導光部７の後面７ｂ全体には剛性を有する反射板１２を設けており、該反射板１２はパチンコ玉導入部１と一体形成してその表面に反射シートを接着しても良いし、図示例の様にパチンコ玉導入部１と別体であっても良い。
点滅光源４は、発光色の異なる複数の発光ダイオードであり、該発光ダイオードは水平導光部５の幅方向に並設し、盤面Ｆ、パチンコ玉導入部１及び反射板１２で囲繞されることで構成されるパチンコ玉導入路１３に配置したパチンコ玉検知センサー（図示せず）により、パチンコ玉導入路１３にパチンコ玉が入った時に点滅発光する様に成している。
【０００７】
次に、発光化粧体２の第一変形例について、図３に基づき説明する。
この発光化粧体２は、上記垂直導光部７に相当するものにして、パチンコ玉導入部１前面の開放部を閉塞する様に外装した平板状の透明体（この変形例に限っては、以下、透明体７と称する。）から成り、上記と同一又は相当部分には同じ符号を付し、説明は省略する。
この透明体７は、点滅光源４より厚肉に形成され、パチンコ玉導入部１より幅広にして、且つ、下端をパチンコ玉導入部１下部よりも長く形成した平板状に形成され、上記垂直導光部７と同様に、その前面７ａを平滑面状に形成し、後面７ｂには複数のＶ溝９、９ａ…を横縞状に連設したＶ溝連設群１０を切込み形成している。そして、透明体７の下端に凹設した埋設穴に幅方向に並設した複数の点滅光源４を埋設している。
尚、図示例では、透明体７は、パチンコ玉導入部１下部に対応した下方部位が、盤面Ｆに当接する様に膨出形成しているが、透明体７は、下端に埋設した点滅光源４からの光を上端へ向かい入射する構成であれば良いので、かかる膨出部位１４を透明体７に必ずしも形成する必要はない。
【０００８】
次に発光化粧体２の第二変形例について図４、５に基づき説明する。
この発光化粧体２は、水平導光部５を、盤面Ｆに対し前方上向き状の前傾導光部１５に変更したものであり、前傾導光部１５以外の構成については、上記と同様に同じ符号を付し説明を省略する。
前傾導光部１５は、パチンコ玉導入部１下部で盤面Ｆより前方上向き状に突設した点滅光源４と同一勾配に傾斜して成り、点滅光源４をその後方に埋設している。
点滅光源４より前方の前傾導光部１５の後面には、点滅光源４を投影して前面へ反射させる所定勾配の斜面（図示例では、点滅光源４と同一勾配）を設け、この斜面を投影反射部１６と成している。
前傾導光部１５において、投影反射部１６を除く後面は、パチンコ玉導入部１の下部に対応する様に水平に形成しているが、投影反射部１６と同様な傾斜面と成しても良い。
又、パチンコ玉導入部１の下部前方は、投影反射部１６に対応した斜面に形成され、投影反射部１６により反射される光の輝度や照度を高める反射面と成している。
【０００９】
次に発光化粧体２の第三変形例ついて、図６に基づき説明する。
この発光化粧体２は、図１、２のものと同様に、水平導光部５、反射部６及び垂直導光部７とから成る発光化粧体２から成るものにして、垂直導光部７に設けたＶ溝連設群１０における斜面１１、１１ａ…の面積を夫々同一としたものであり、その他の構成は上記と同様である。
【００１０】
上記の様に構成された各発光化粧体２の前面２ａ、即ち垂直導光部７、反射部６及び前傾導光部１５の前面６ａ、７ａ、１５ａを、プリズムシート１７で被覆する様に接着しても良い。
この場合、水平導光部５を有する発光化粧体２は、水平導光部５の前面に当たる発光化粧体２下部が遊技者に見えない部位のため、この水平導光部５前面をプリズムシート１７で被覆しなくても良い。
又、必ずしも発光化粧体２の前面２ａ全体をプリズムシート１７で被覆しなくても良く、例えば、図７に示す様に、垂直導光部７の前面７ａを除く反射部６及び前傾導光部１５の前面６ａ、１５ａをプリズムシート１７で被覆しても良い。
プリズムシート１７は、発光化粧体２の接着面側にミクロン単位で微細なプリズムが規則的に整然と配列され、微細なプリズム１つ１つが一定の屈折を起こさせ、全体として光を制御するものであり、そのプリズムパターンは多種類存在する。
その一例としては、図７に誇張して示す様に、プリズムをＶ溝状に配列したものが挙げられ、このプリズムパターンでは光が複屈折して重なって線状又は帯状に伸びる様に見え、又Ｖ溝の方向を、水平、垂直又は斜めにするだけで、光の伸びる方向が垂直、水平又は斜めとなる様に見える。
【００１１】
次に本発明に係る発光化粧体２の作用について説明する。
入賞口３のパチンコ玉導入路１３をパチンコ玉が通過した時に、これをパチンコ玉検出センサーが検出することで点滅光源４が点滅発光する。
そして、図１、２に示す入賞口３に設けた発光化粧体２では、点滅光源４からの光は、水平導光部５内に入射され、その内部を直進し、前方の反射部６の前面６ａに到達すると、そこで光の一部は反射されたり、屈折される。
屈折した光は反射部６の前面６ａから射出され、又反射部６で全反射されずに全反射角より小さくなった成分の光は、垂直導光部７内を直進せずに何れ垂直導光部７の前面７ａ又は後面７ｂより射出され、後面７ｂから射出した光にあっては反射板１２にて反射され、垂直導光部７内に再入射される。
又、全反射された光の中で上方の垂直導光部７へ直進する光は、段違い平行状の斜面１１、１１ａ…に下方より順次に当たることで、そこで向きを変え全反射角より小さくなった成分の光が垂直導光部７の前面７ａから射出され、斜面１１、１１ａ…に対応する前面７ａは均一に点滅発光する。
全反射された光の中で斜面１１、１１ａ…に当たらない光は、減衰することなく垂直導光部７の上端まで到達し、上端が点滅発光する。
【００１２】
図３に示す第一変形例では、点滅光源４からの光が透明体（上記垂直導光部７に相当）７に直接入射され、上記と同様に、透明体７内を直進する光が、段違い平行状の斜面１１、１１ａ…に下方より順次に当たって、該斜面１１、１１ａ…に対応する透明体７の前面７ａが均一に点滅発光し、斜面１１、１１ａ…に当たらない光は、減衰することなく透明体７の上端まで到達して点滅発光する。
【００１３】
図４、５に示す第二変形例では、点滅光源４から前傾導光部１５内に入射された光が、その内部を直進し、前方の反射部６の前面６ａに到達した後、図１、２のものと同様な反射や屈折が成され、斜面１１、１１ａ…に対応する垂直導光部７の前面７ａ及び上端が点滅発光する。
又、前傾導光部１５内では、点滅光源４が投影反射部１６に鏡の様に写って投影反射部１６に対応する反射部６又は垂直導光部７の前面６ａ、７ａ（図４中一点鎖線で示す部位）が点滅発光している。
【００１４】
図６に示す第三変形例では、基本的には図１、２のものと同様に斜面１１、１１ａ…に対応する垂直導光部７の前面７ａ及び上端が点滅発光するが、斜面１１、１１ａ…の面積が同一のため、点滅光源４に近い下方の斜面１１、１１ａ…で光の多くが反射され、垂直導光部７の下方よりも上方の斜面１１、１１ａ…で反射される光の輝度や照度を弱くしている。
【００１５】
【発明の効果】
要するに本発明は、パチンコ機盤面Ｆに突設したパチンコ玉導入部１を外装する透明体から成り、該透明体は、パチンコ玉導入部１下部で盤面Ｆより水平突設した点滅光源４を後方に埋設した水平導光部５と、該水平導光部５の前端に連続して光を上方へ導く反射部６と、該反射部６に上方連続する垂直導光部７とを一体形成したので、点滅光源４から水平導光部５内を直進する光の中で、反射部６で全反射された光を上方の垂直導光部７内へ直進させることができる。
又、垂直導光部７の後面７ｂには、前方上向き状に傾斜した複数の斜面１１、１１ａ…を段違い平行状にして、且つ、下段より上段の斜面１１、１１ａ…の方が面積大と成したＶ溝連設群１０を形成したので、垂直導光部７内を直進する光が、下段の斜面１１、１１ａ…に当たったものから順次に反射され、垂直導光部７の前面７ａから射出して斜面１１、１１ａ…に対応した前面７ａが点滅発光でき、パチンコ玉が入賞口３に入ると、垂直導光部７の前面７ａの上下を光が走る様に見えて、従来では表現できなった変化性に富んだ光の演出を可能とした電飾を入賞口３に具有させることができる。
【００１６】
反射部６の前面６ａを反射シート８で被覆したので、水平導光部５から導かれた光の反射部６における反射効率を高め、反射部６で全反射によって垂直導光部７上方へ直進する光の量を増大させ、斜面１１、１１ａ…で散乱反射される光の輝度や照度を高めることができ、垂直導光部７のよりきらびやかな点滅発光が可能となる。
【００１７】
パチンコ機盤面Ｆに突設したパチンコ玉導入部１前面を外装する平板状の透明体７から成り、該透明体７は、下端に点滅光源４を埋設すると共に、後面７ｂには、上記と同様なＶ溝連設群１０を形成したので、透明体７内に点滅光源４からの光の全てを直接入射させることができ、上記よりも確実に透明体７内を直進する光の量を増大させることができ、斜面１１、１１ａ…で散乱反射される光の輝度や照度をより一層高めて光のきらびやかさを際立たせられる。
【００１８】
透明体は、パチンコ玉導入部１下部で盤面Ｆより前方上向き状に突設した点滅光源４を、後方に埋設すると共に、点滅光源４と同一勾配に傾斜した前傾導光部１５と、該前傾導光部１５の前端に連続して光を上方へ導く反射部６と、該反射部６に上方連続すると共に、後面７ｂに上記と同様なＶ溝連設群１０を形成して成る垂直導光部７とを一体形成したので、前傾導光部１５の前面１５ａも遊技者に面するため、点滅光源４からの光の輝く範囲を拡大させられると共に、上記と同様なる電飾効果を奏することができる。
【００１９】
前傾導光部１５の後面には、点滅光源４を投影して前面へ反射させる投影反射部１６を設けたので、点滅光源４が投影反射部１６に鏡の様に写って投影反射部１６に対応する反射部６又は垂直導光部７の前面６ａ、７ａが点滅発光するため、その部分にも点滅光源４があるかの如く見え、より一層電飾効果を高められる。
【００２０】
水平導光部５、反射部６及び垂直導光部７とを一体形成した透明体であって、垂直導光部７の後面７ｂに形成したＶ溝連設群１０の斜面１１、１１ａ…を同一面積と成したので、点滅光源４に近い下方の斜面１１、１１ａ…で光の多くが反射され、垂直導光部７の下方よりも上方の斜面１１、１１ａ…で反射される光の輝度や照度を弱め、一風変わった電飾効果を奏することができる。
【００２１】
発光化粧体２の前面２ａをプリズムシート１７で被覆したので、点滅発光する光が重なり合う様に見えたり、一定方向に伸びた線状又は帯状に見えたりするなど、光の見えかたを変更できるため、バリエーションに富んだより一層の光の演出を可能としている。
【００２２】
垂直導光部（透明体）７の後面７ｂに剛性を有する反射板１２を設けたので、パチンコ玉が入賞口３に入っても、Ｖ溝連設群１０に接触してこれが破損するのを防止できると共に、斜面１１、１１ａ…からその後方へ射出される光を反射して垂直導光部７内に再入射させて輝度や照度を高めることができる。
【００２３】
発光色が異なる複数の点滅光源４を並設したので、該点滅光源４から発せられる色彩豊かな光は上記効果と相俟って、幻想的な雰囲気を醸しだすことができ、より変化性に富んだ光の演出が可能となる等その実用的効果甚だ大である。
【図面の簡単な説明】
【図１】入賞口の正面図である。
【図２】発光化粧体の光の道筋を簡略表示した入賞口の一部断面側面図である。
【図３】発光化粧体の第一変形例であって、光の道筋を簡略表示した入賞口の一部断面側面図である。
【図４】発光化粧体の第二変形例であって、入賞口の正面図である。
【図５】入賞口の一部断面側面図である。
【図６】発光化粧体の第三変形例であって、入賞口の一部断面側面図である。
【図７】プリズムシートを被覆した入賞口の一部断面側面図である。
【符号の説明】
１　　　　　パチンコ玉導入部
２ａ　　　　　前面
４　　　　　点滅光源
５　　　　　水平導光部
６　　　　　反射部
６ａ　　　　　前面
７　　　　　垂直導光部（透明体）
７ｂ　　　　　後面
８　　　　　反射シート
１０　　　　　Ｖ溝連設群
１１、１１ａ…　斜面
１２　　　　　反射板
１５　　　　　前傾導光部
１６　　　　　投影反射部
１７　　　　　プリズムシート
Ｆ　　　　　パチンコ機盤面
【図１】
2004121810.tif 000003
【図２】
2004121810.tif 000004
【図３】
2004121810.tif 000005
【図４】
2004121810.tif 000006
【図５】
2004121810.tif 000007
【図６】
2004121810.tif 000008
【図７】
2004121810.tif 000009